【手続補正書】
【提出日】平成26年5月16日(2014.5.16)
【手続補正１】
【補正対象書類名】特許請求の範囲
【補正対象項目名】全文
【補正方法】変更
【補正の内容】
【特許請求の範囲】
【請求項１】
特定用途向け集積回路とともに用いるための圧力センサアセンブリであって、
容量性センサと、
第１のセンサコンパートメント内に配置され、前記容量性センサに動作可能に接続されてセンサＬ−Ｃタンク回路を形成するセンサコイルと、
第２のセンサコンパートメント内に配置された測定コイルを含み、前記センサコイル、及び測定振動子の出力に基づいて測定振動子用の制御信号を提供するように構成されたフィードバック回路から離間された測定振動子と、
前記測定振動子に低周波信号を提供するように構成される低周波信号源と、を備えるアセンブリ。
【請求項２】
前記センサコイルは前記容量性センサに熱的に接続され、前記センサコイルは、温度が変化すると抵抗率の変化を示す材料を含む、請求項１に記載のアセンブリ。
【請求項３】
前記測定振動子は、前記フィードバック回路に動作可能に接続される第１の入力を有する可変利得演算相互コンダクタンス増幅器（ｇｖＯＴＡ）を備える、請求項１に記載のアセンブリ。
【請求項４】
前記ｇｖＯＴＡの第１の出力は測定振動子Ｌ−Ｃタンクの第１の端部に接続され、
前記ｇｖＯＴＡの第２の出力は前記測定振動子Ｌ−Ｃタンクの第２の端部に接続される、請求項３に記載のアセンブリ。
【請求項５】
前記測定振動子は、
前記ｇｖＯＴＡの第１の出力および前記ｇｖＯＴＡの第２の入力に動作可能に接続される第１の可変容量キャパシタと、
前記ｇｖＯＴＡの前記第２の入力および前記ｇｖＯＴＡの第３の入力に動作可能に接続される第２のキャパシタと、を備える
請求項３に記載のアセンブリ。
【請求項６】
前記第２のキャパシタはトリミング可能なキャパシタである、請求項５に記載のアセンブリ。
【請求項７】
前記トリミング可能なキャパシタはスイッチトキャパシタである、請求項６に記載のアセンブリ。
【請求項８】
前記第１の可変容量キャパシタはスイッチトキャパシタである、請求項５に記載のアセンブリ。
【請求項９】
前記ｇｖＯＴＡの前記第２の入力と前記ｇｖＯＴＡの前記第３の入力の間に動作可能に接続される抵抗器をさらに備える、請求項５に記載のアセンブリ。
【請求項１０】
前記ｇｖＯＴＡの第２出力は前記第２のキャパシタに動作可能に接続される、請求項３に記載のアセンブリ。
【請求項１１】
前記ｇｖＯＴＡは第１の入力トランジスタ対および第２の入力トランジスタ対を含む差動Ｎ−ＭＯＳ入力段を備え、前記第２の入力トランジスタ対は前記第１の入力トランジスタ対に並列である、請求項３に記載のアセンブリ。
【請求項１２】
前記ｇｖＯＴＡの出力に動作可能に接続される第１のトランジスタ、前記第１のトランジスタの第１のドレインに動作可能に接続される第１のキャパシタ、および前記第１のキャパシタに動作可能に接続され、前記第１のキャパシタを放電させるように構成される弱い電流源を含む第１の供給源フォロワと、
前記ｇｖＯＴＡの前記出力に動作可能に接続される第２のトランジスタ、前記第２のトランジスタの第２のドレインに動作可能に接続される第２のキャパシタ、および前記第２のキャパシタに動作可能に接続され、前記第２のキャパシタを充電するように構成される弱い電流源を含む第２の供給源フォロワと、をさらに備え、
前記第１の供給源フォロワおよび前記第２の供給源フォロワは、測定振動子信号の振幅を検出し、コントローラに振幅参照信号を提供するように構成される、請求項３に記載のアセンブリ。
【請求項１３】
前記ｇｖＯＴＡは単一の出力を有する単一端ｇｖＯＴＡであり、
前記ｇｖＯＴＡの前記出力は測定振動子Ｌ−Ｃタンクの第１の端部に接続され、
前記測定振動子Ｌ−Ｃタンクの第２の端部はＡＣ経路を介して前記ｇｖＯＴＡと共通の接地に接続される、
請求項３に記載のアセンブリ。
【請求項１４】
前記フィードバック回路は、
復調された測定振動子信号を受け取るように構成される比例積分微分（ＰＩＤ）コントローラを備える、
請求項１に記載のアセンブリ。
【手続補正２】
【補正対象書類名】明細書
【補正対象項目名】００６７
【補正方法】変更
【補正の内容】
【００６７】
[0082]本発明を例示システムコンポーネントの説明によって示し、様々なコンポーネントをかなり詳細に説明してきたが、出願人は添付の特許請求の範囲をこのような細部に限定または制限することを意図するものではない。追加の利点および改変が当業者には容易に想起されよう。したがって、本発明は、その最も広範囲な態様において、上記で示し説明した特定の細部、実装形態、または例示実施例に制限されるものではない。したがって、出願人の全体的な発明の概念の趣旨または範囲から逸脱することなく、このような細部からの逸脱が可能である。
以下、本発明の一形態を記載する。
（付記１）
流体の圧力を特定する方法であって、
前記流体から隔離された測定振動子をセンサコンポーネントに結合するステップと、
前記結合を介して前記センサコンポーネント内に循環電流を確立するステップと、
前記結合されたセンサコンポーネントの容量性センサを前記流体に暴露するステップと、
前記暴露に基づいて前記センサコンポーネントの共振周波数を確立するステップと、
前記結合された測定振動子の周波数を変化させるステップと、
前記変化した周波数を有する前記測定振動子について電圧の変化を生成するステップと、
前記生成された電圧変化に基づいて前記測定振動子の周波数を制御するステップと、
前記測定振動子の前記制御された周波数に基づいて前記流体の前記圧力に関連する信号を生成するステップと、
を含む方法。
（付記２）
前記生成された電圧変化に基づいて前記センサコンポーネントの温度に関連する信号を生成するステップをさらに含む、
付記１に記載の方法。
（付記３）
電圧変化を生成するステップが、
測定振動子制御信号に低周波信号を印加するステップを含む、
（付記１）に記載の方法。
（付記４）
前記結合された測定振動子の周波数を変化させるステップが、
前記測定振動子内のキャパシタの切り替えられる容量を改変するステップを含む、
（付記１）に記載の方法。
（付記５）
前記流体の前記圧力に関連する信号を生成するステップが、
前記改変された容量に基づいて前記流体の前記圧力に関連する信号を生成するステップを含む、
付記４に記載の方法。
（付記６）
トリミング可能なキャパシタを有する前記測定振動子の動作周波数応答を確立するステップをさらに含む、
（付記１）に記載の方法。
（付記７）
前記測定振動子の周波数を制御するステップが、
第１の供給源フォロワおよび第２の供給源フォロワを用いて測定振動子信号の振幅を検出するステップと、
前記第１の供給源フォロワおよび前記第２の供給源フォロワを用いて振幅参照信号を提供するステップと、を含む、
（付記１）に記載の方法。
（付記８）
前記測定振動子の周波数を制御するステップが、
Ｌ−Ｃタンクの第１の端部に可変電流演算相互コンダクタンス増幅器（ｇｖＯＴＡ）の第１の出力を提供するステップと、
Ｌ−Ｃタンクの第２の端部に前記ｇｖＯＴＡの第２の出力を提供するステップと、を含む、
（付記１）に記載の方法。
（付記９）
前記測定振動子の周波数を制御するステップが、
可変電流演算相互コンダクタンス増幅器（ｇｖＯＴＡ）の第１の入力と前記ｇｖＯＴＡの第２の入力の間に第１のキャパシタを接続するステップと
前記ｇｖＯＴＡの前記第２の入力と前記ｇｖＯＴＡの出力の間に第２のキャパシタを接続するステップと、
容量性分圧器を用いて前記第２の入力に電圧を確立するステップと、を含む、
（付記１）に記載の方法。